(57)【特許請求の範囲】
【請求項１】
副走査方向に複数の光源が配列され、１回の主走査で同時に複数ラインの主走査記録が可能な走査手段を備え、記録材料を回転体に対して予め傾けて巻付け、前記回転体の軸回転方向を主走査方向とし、前記回転体の軸線方向を副走査方向として、前記走査手段による主走査時の主走査ラインと、前記主走査ラインに沿う記録材料端末辺とがほぼ平行となるように、前記記録媒体へ画像を記録する画像記録装置であって、
前記巻付時の傾斜角度に応じて、前記１回の主走査毎に画像書出し位置を段階的に主走査方向にオフセットさせる書出し位置オフセット手段と、
前記書出し位置オフセット手段によってオフセットさせる場合に、前記複数の光源をｎ分割（ｎは２以上の正の整数）したユニット単位で、画像データの書出しタイミングのずらし量を設定することによって画像書出し位置を主走査方向に均等にずらす補正手段と、
を有することを特徴とする画像記録装置。
【請求項２】
前記補正手段が、前記副走査時の非直線性による主走査書出し位置ずれ、前記回転体の偏心による主走査書出し位置ずれ、の少なくとも１つに基づいて画像データの書出しタイミングのずらし量を設定することによって画像書出し位置を主走査方向に加減してずらすことを特徴とする請求項１記載の画像記録装置。
【発明の詳細な説明】
【０００１】
【発明の属する技術分野】
本発明は、回転体の周面に記録材料を巻付け、前記回転体の軸回転方向を主走査方向とし、前記回転体の軸線方向を副走査方向として、前記記録媒体へ画像を記録する画像記録装置に関するものである。
【０００２】
【従来の技術】
シート状の記録材料、特に支持体上に感光層が設けられた印刷版を用い、この印刷版の感光層（乳剤面）に直接レーザビーム等で画像を記録する技術が開発されてきている（印刷版露光装置）。このような技術では、印刷版への迅速な画像記録が可能となっている。
【０００３】
印刷版への画像記録の技術を用いる印刷版自動露光装置では、印刷版を回転ドラムの周面に巻き付けた状態で、この回転ドラムを高速に回転しながら（主走査）、記録ヘッド（露光ヘッド）を回転ドラムの軸線方向に沿って移動することで（副走査）、印刷版上に画像を記録するようになっている。
【０００４】
ここで、一般的には、印刷版の巻付先端側の辺を回転ドラムの軸線と平行に巻付けており、副走査（回転ドラムの軸線方向）の書出し位置がずれることはなく、機械的な誤差があっても僅かな補正で済むため、問題となっていなかった。
【０００５】
ところが、回転ドラムを回転させながら、主走査していくと、主走査ラインが、印刷版の回転ドラムの軸線と直角となる辺に対して傾斜することになる。これは、所謂ソフト的な手段では、補正できないため、印刷版を回転ドラムに対して傾斜させて巻付けることで、主走査ラインの印刷版に対する傾斜を解消している。
【０００６】
【発明が解決しようとする課題】
しかしながら、上記主走査ラインの傾斜補正（印刷版の傾斜巻付）を行なうと、逆に副走査方向の主走査書出し位置がずれることになる。特に、１回の主走査で複数の主走査ラインを形成するように、副走査方向に複数の記録用光源が配列された記録ヘッドを用いると、隣接する記録用光源間のずれが１回の主走査に集中するため、このずれは従来の補正の範囲では対処しきれないほどの大きなずれとなる。
【０００７】
本発明は上記事実を考慮し、記録材料を回転体に巻付けた状態で副走査方向に複数の画像記録用の光源が配列された走査光学系で画像を記録する場合に、記録材料の周端辺に対する主走査ラインの平行度、並びに副走査方向の主走査書出し位置の平行度を安定させることができる画像記録装置を得ることが目的である。
【０００８】
【課題を解決するための手段】
請求項１に記載の発明は、副走査方向に複数の光源が配列され、１回の主走査で同時に複数ラインの主走査記録が可能な走査手段を備え、記録材料を回転体に対して予め傾けて巻付け、前記回転体の軸回転方向を主走査方向とし、前記回転体の軸線方向を副走査方向として、前記走査手段による主走査時の主走査ラインと、前記主走査ラインに沿う記録材料端末辺とがほぼ平行となるように、前記記録媒体へ画像を記録する画像記録装置であって、前記巻付時の傾斜角度に応じて、前記１回の主走査毎に画像書出し位置を段階的に主走査方向にオフセットさせる書出し位置オフセット手段と、前記書出し位置オフセット手段によってオフセットさせる場合に、前記複数の光源をｎ分割（ｎは２以上の正の整数）したユニット単位で、画像データの書出しタイミングのずらし量を設定することによって画像書出し位置を主走査方向に均等にずらす補正手段と、を有している。
【０００９】
請求項１記載の発明によれば、各主走査ライン毎に画像の書出しタイミングをずらすためには、実際の画像記録領域よりも大幅に拡大された領域を画像記録領域として認識させ、不要な領域を非記録としなければならないため、光源単位で遅延回路等の回路構成が必要となり複雑化するが、これを１回の主走査毎に段階的に画像書出し位置をオフセットすることで、複数の光源を１つの制御系で共通利用することができ、各段に回路構成を単純化することができる。さらに、請求項１記載の発明によれば、１回の主走査毎に段階的に書出しタイミングをオフセットさせた上に、さらに補正手段によって、１回の主走査で走査される光源をｎ分割したユニット単位で画像データの書出しタイミングのずらし量を設定することによって画像書出しタイミングを主走査方向にずらす。この場合、画像データを遅延させることで行なうことになるが、各光源毎ではなく、ユニット単位とすることで、遅延のための回路構成を装置の持つ能力に合わせることができる。
【００１０】
請求項２に記載の発明は、前記請求項１に記載の発明において、前記補正手段が、前記副走査時の非直線性による主走査書出し位置ずれ、前記回転体の偏心による主走査書出し位置ずれ、の少なくとも１つに基づいて画像データの書出しタイミングのずらし量を設定することによって画像書出し位置を主走査方向に加減してずらすことを特徴としている。
【００１１】
請求項２に記載の発明によれば、主走査方向の位置ずれは、記録材料の巻付角度のみならず、機械的な要因でずれることがある。例えば、副走査時の非直線性による主走査書出し位置ずれ、前記回転体の偏心による主走査書出し位置ずれ、等が挙げられ、これらの少なくとも１つを含む、位置ずれ要因に基づいて画像データの遅延時間を設定することで、画質をさらに向上させることができる。
【００１６】
【発明の実施の形態】
図１には、本実施の形態に係る印刷版自動露光装置１０が示されている。
【００１７】
この印刷版自動露光装置１０は、印刷版１２の画像形成層に光ビームを照射して画像を露光する露光部１４と、印刷版１２を前記露光部１４へ搬送する搬送ガイドユニット１８と、の２つのブロックに分かれている。また、この印刷版自動露光装置１０によって、露光処理された印刷版１２は、印刷版自動露光装置１０に隣接した設置された図示しない現像装置へ送り出されるようになっている。
【００１８】
露光部１４は、印刷版１２を周面に巻付けて保持する回転ドラム１６を主要部として構成されており、印刷版１２は、搬送ガイドユニット１８に案内されて、この回転ドラム１６の接線方向から送り込まれるようになっている。搬送ガイドユニット１８は、給版ガイド２０と排版ガイド２２とで構成されている。
【００１９】
搬送ガイドユニット１８の給版ガイド２０と排版ガイド２２とは、互いの相対位置関係が横Ｖ字型とされ、図１の中央付近を中心として、所定角度回動する構造となっている。この回動によって、給版ガイド２０又は排版ガイド２２を選択的に前記回転ドラム１６に対応させる（回転ドラム１６の接線方向に配置させる）ことができる。
【００２０】
また、搬送ガイドユニット１８の近傍には、印刷版１２を図示しない輪転機の版胴へ巻き付けるための基準となる貫通孔を穿孔するための穿孔機２４が配設されており、給版ガイド２０を穿孔機２４に対向させることで、印刷版１２の先端を穿孔機２４へ送り込むことができるようになっている。すなわち、印刷版１２は、まず、給版ガイド２０に案内されて穿孔機２４へ送り込まれ、この印刷版１２の先端に例えば、円孔と長孔を穿孔した後、一旦給版ガイド２０に戻される。その後、搬送ガイドユニット１８を回転させることで、印刷版１２を回転ドラム１６に対応する位置に移動される。
【００２１】
図２は、前記排版ガイド２２を取り去った（すなわち、給版ガイド２０のみが取付けられた）状態の搬送ガイドユニット１８が示されている。
【００２２】
給版ガイド２０における回転ドラム１６とは反対側の端部（図２の手前側端部）における、給版ガイドの表面（上面）には押圧部６８が設けられている。この押圧部６８は、支持軸（図示省略）に回転可能に支持されており、支持軸は、給版ガイド２０に設けられた一対のスリット孔２０Ａを貫通して給版ガイド２０の裏面（下面）側に貫通している。
【００２３】
次に、前記押圧部６８に対応して、給版ガイド２０の回転ドラム１６側端部には、給版ガイド２０の表面に対して出没可能な一対の位置決めピン７４が設けられている。
【００２４】
この位置決めピン７４を給版ガイド２０の表面よりも上に突出する突出位置と、給版ガイド２０の表面よりも下に退避する退避位置と、の２位置にとり得る。
【００２５】
また、給版ガイド２０の幅方向一端部（図２の左側端部）には、回転ドラム１６の軸線方向に沿って移動可能な幅方向押圧部８６が設けられている。この押圧部８６は、支持軸（図示省略）に回転可能に支持されており、支持軸は、給版ガイド２０に設けられたスリット孔２０Ｂを貫通して給版ガイド２０の裏面（下面）側に貫通している。
【００２６】
図２に示される如く、スリット孔２０Ｂは、回転ドラム１６の軸線方向に延設されている。これにより、幅方向押圧部８６は、給版ガイド２０のスリット孔２０Ｂに沿って、回転ドラム１６の軸線方向に平行に移動することが可能となっている。
【００２７】
一方、図２に示される如く、給版ガイド２０の幅方向他端部（図２の右側端部）には、回転ドラム１６の軸線方向に沿って移動可能な一対の位置決めピン９４が設けられ、この位置決めピン９２を回転可能に支持する支持軸(図示省略）とで構成されており、支持軸は、給版ガイド２０に設けられた一対のスリット孔２０Ｃを貫通して給版ガイド２０の裏面（下面）側に貫通している。
【００２８】
図２に示される如く、スリット孔２０Ｃは、互いに平行とされ、回転ドラム１６の軸線方向に延設されている。これにより、位置決めピンユニット９４は、給版ガイド２０のスリット孔２０Ｃに沿って、回転ドラム１６の軸線方向に平行に移動することが可能となっており、印刷版１２のサイズによって予め位置決め位置に配置される。
【００２９】
回転ドラム１６は、図示しない駆動手段によって、印刷版１２の装着露光方向（図１の矢印Ａ方向）及び装着露光方向と反対方向となる印刷版１２の取外し方向（図１の矢印Ｂ方向）へ回転される。
【００３０】
図１に示されるように、露光部１４に設けられている回転ドラム１６には、外周面の所定の位置に、先端チャック２６が取付けられている。露光部１４では、この回転ドラム１６に印刷版１２を装着するときに、先ず、先端チャック２６が、搬送ガイドユニット１８の給版ガイド２０によって送り込まれる印刷版１２の先端に対向する位置（印刷版装着位置）で回転ドラム１６を停止させる。
【００３１】
露光部２２には、印刷版装着位置で先端チャック２６に対向して装着カム２８が設けられている。先端チャック２６は、この装着カム２８が回動して一端側が押圧されることにより、回転ドラム１６の周面との間に印刷版１２の挿入が可能となる。
【００３２】
露光部１４では、印刷版１２の先端が先端チャック２６と回転ドラム１６の間に挿入された状態で、装着カム２８を戻して先端チャック２６への押圧を解除することにより、印刷版１２の先端を先端チャック２６と回転ドラム１６の周面との間で挟持して保持する。
【００３３】
このときに、印刷版１２は、その先端面が回転ドラム１６の周面の所定の位置に突設されている一対の位置決めピン１００、１０２が当接し、かつ印刷版１２の幅方向一端部が回転ドラム１６の軸線方向一端部に突設されている位置決めピン１０４に当接し、回転ドラム１６に対して本位置決めされる。
【００３４】
露光部１４では、回転ドラム１６に印刷版１２の先端が固定されると、回転ドラム１６を装着露光方向へ回転する。これにより、搬送ガイドユニット１８の給版ガイド２０から送り込まれる印刷版１２は、回転ドラム１６の周面に巻き付けられる。
【００３５】
回転ドラム１６の周面近傍には、印刷版装着位置よりも装着露光方向の下流側にスクイズローラ３０が配置されている。このスクイズローラ３０は、回転ドラム１６に向けて移動することにより回転ドラム１６に巻き付けられる印刷版１２を回転ドラム１６へ向けて押圧し、印刷版１２を回転ドラム１６の周面に密着させる。
【００３６】
また、露光部１４には、スクイズローラ３０よりも回転ドラム１６の装着露光方向上流側近傍に後端チャック着脱ユニット３２が配置されている。後端チャック着脱ユニット３２には、回転ドラム１６へ向けて突出されたシャフト３４の先端に後端チャック３６が装着されている。
【００３７】
露光部１４では、回転ドラム１６に巻き付けた印刷版１２の後端が、後端チャック着脱ユニット３２に対向すると、シャフト３４を突出させて、後端チャック３６を回転ドラム１６の所定の位置に装着する。これにより、後端チャック３６が、回転ドラム１６との間で印刷版１２の後端を挟持して保持する。
【００３８】
露光部１４では、印刷版１２の先端及び後端を回転ドラム１６に保持させるとスクイズローラ３０を離間させる。この後、露光部１４では、回転ドラム１６を所定の回転速度で高速回転させながら、この回転ドラム１６の回転に同期させて、記録ヘッド３７から画像データに基づいて変調した光ビームを照射する。これにより、印刷版１２が画像データに基づいて走査露光される。
【００３９】
露光部１４では、印刷版１２への走査露光が終了すると、印刷版１２の後端を保持している後端チャック３６が後端チャック着脱ユニット３２に対向する位置で回転ドラム１６を一時停止させ、回転ドラム１６から後端チャック３６を取り外す。これにより、印刷版１２の後端が開放される。
【００４０】
その後、回転ドラム１６を印刷版１２の取出し方向へ回転させることで、印刷版１２は後端側から回転ドラム１６の接線方向に沿って、搬送ガイドユニット１８の排版ガイド２２へ排出され、その後、次工程の現像装置へ搬送される。
【００４１】
図４には、回転ドラム１６の回転と、記録ヘッド３７の移動、並びに画像信号に基づく記録ヘッド３７による画像記録のための制御系が示されている。
【００４２】
回転ドラム１６は、サーボボータ２００の駆動力で回転する。サーボモータ２００は、コントローラ２０２の駆動系制御部２５０からの駆動信号に基づいて、回転速度が制御される。
【００４３】
また、記録ヘッド３７は、ボールねじ機構部の雄ねじが形成されたシャフト２０４をモータ２０６により軸回転させることで、回転ドラム１６の軸線方向へ移動する。このモータ２０６は、コントローラ２０２の駆動系制御部３００からの駆動信号に基づいて、その駆動速度が制御される。
【００４４】
記録ヘッド３７は、光ファイバー３０２によって光源ユニット３０４と接続されており、光源ユニット３０４に搭載された複数のＬＤ（半導体レーザー）で発光した光を光ファイバー３０２によって記録ヘッド３７へ導き、１回の主走査（回転ドラム１６の１回転）で複数本の主走査ラインを同時に記録する構成となっている。
【００４５】
回転ドラム１６の一方の回転軸１６Ａには、ロータリーエンコーダ２５０が取り付けられている。ロータリーエンコーダ２５０は、回転ドラム１６の回転に応じてパルス信号を出力し、このパルス信号は、コントローラ２０２のパルス信号取込部３０６へ入力されている。
【００４６】
パルス信号取込部３０６は、コントローラ２０２の画像処理系制御部３０８の一部として構成されており、パルス信号取込部３０６で取り込んだパルス信号は、回転ドラム１回転毎の基準信号を生成すると共に、前記パルス信号と共に画像クロック生成部３０９へ送出される。この画像クロック生成部３０９では、例えば、パルス信号を分周し、所定の周波数の画像クロックを生成する。これにより、パルス信号から、回転ドラム１回転度との基準信号と、画像書込みクロックとが生成される。
【００４７】
画像クロック生成部３０９で生成された基準信号及び画像クロックは遅延カウンタ３１０に入力され、基準信号毎に画像クロックをリセットしながらカウントし、比較部３１２へ送出される。
【００４８】
比較部３１２には、遅延設定値登録部３１４から遅延設定値が入力されている。この比較部３１２では、遅延設定値が入力された時期が画像書出し位置と判断し、前記画像クロックを画像書込み指示部３１６へ送出する。
【００４９】
画像書込み指示部３１６には、複数のラインバッファ３１８が接続されている。ラインバッファ３１８には、１回の主走査で必要なライン数分の画像データが画像メモリ３２０から取り込まれており、前記画像書込み指示部３１６からの指示に基づいて、光源ユニット３０４へ画像信号が送出されるようになっている。
【００５０】
上記構成の画像処理系制御部３０８では、図５に示すように、印刷版１２が回転ドラム１６の軸線Ｌに対して傾斜した巻き付けられた場合を想定している。
【００５１】
この巻付け時の傾斜角度θは、回転ドラム１６の回転速度（線速度）と記録ヘッド３７の移動速度とによって定められている。すなわち、上記回転ドラム１６の回転中に記録ヘッドを回転ドラム１６の軸線方向へ移動させることで、主走査ラインは、回転ドラム１６の周面に対して螺旋状に走査されることになる。
【００５２】
この螺旋を形成するときの主走査ラインと印刷版１２の回転ドラム巻付方向に沿う辺とが平行となるように印刷版１２を傾斜させて巻付けている。これにより、印刷版１２上には、前記辺と平行な主走査ラインが走査される。
【００５３】
一方、この傾斜は、画像記録領域の主走査ラインの書出し位置のずれを生じさせる。
【００５４】
このため、本実施の形態では、前述の画像処理系制御部３０８において、１回の主走査単位で、画像の書出し位置をオフセットさせている。
【００５５】
オフセット量は、最大では画像書込み時の先頭ラインの書出し位置と、最終ラインの書出し位置までの長さ（副走査全幅）Ｗと、前記傾斜角度θとにより得ることができる。
【００５６】
すなわち、オフセット量をＬOSとすると、
Ｗ／ＬOS＝tanθ・・・（１）
よって、
ＬOS＝Ｗ／tanθ・・・（２）
となる。
【００５７】
ここで、このオフセット量ＬOSは、主走査回数で割ることにより、各主走査によってオフセット量ＬOSを分散させている（各オフセット量ＬOS/E）。また、全体のオフセット量ＬOSは、解像度に応じ、制限が加えられている。すなわち、制限値ＬLT＞オフセット量ＬOSの場合には、ＬOS←ＬOSとし、制限値ＬLT≦オフセット量ＬOSの場合には、ＬOS←ＬLTとすることで、制限値を超えない範囲でオフセットを実行するようにしている。
【００５８】
上記で得られた各主走査毎のオフセット量ＬOS/Eは、前記遅延設定値として登録されることで、各主走査の画像書出しタイミングが段階的にずれ（遅れ）、図５に示される如く、各主走査ラインの書出し位置を結ぶ線（図５の一点鎖線Ａ参照）が、印刷版１２の回転ドラム１６の軸線に沿う辺１２Ａと略平行状態となる。
【００５９】
以下に本実施の形態の作用を説明する。
【００６０】
まず、印刷版１２を給版ガイド２０に載置する。このとき、所謂手差しであってもよいし、自動枚葉装置等による送り込みであってもよい。
【００６１】
給版ガイド２０に載置された印刷版１２は、比較的ラフ（載置位置や給版ガイド２０に対する傾き等）に支持されており、この状態でプッシャーユニット６６を作動させることで、印刷版１２を所定の仮位置決め位置近傍まで押圧する。このとき、印刷版１２には、少なくとも２個の押圧部が当接するため押圧移動中に傾きが矯正される。
【００６２】
この回転ドラム１６への搬送において、給版ガイド２０の回転ドラム１６側端部に設けた位置決めピン７４を突出位置に位置決めしているため、印刷版１２は、この位置決めピン７４に当接し、仮位置決めされる。
【００６３】
続いて、幅方向プッシャーユニット８４の押圧部８６を移動することで、印刷版１２は予め印刷版１２のサイズに基づいて所定位置に配置された位置決めピン９４に当接することで、印刷版１２の幅方向の仮位置決めが実行される。
【００６４】
この仮位置決め状態で、前記突出位置としていた位置決めピン７４を退避位置に移動させた後、さらにプッシャーユニット６６の押圧部６８によって印刷版１２を回転ドラム１６方向へ移動させ、回転ドラム１６に設けられた一対の基準ピン１００、１０２に当接させる。これにより、印刷版１２の先端の位置並びに傾きが矯正される。
【００６５】
次に、この状態で幅方向プッシャーユニット８４の押圧部８６によって印刷版１２を幅方向に移動させ、基準ピン１０４に当接させる。なお、この幅方向は、前記位置決めピン９４によってほぼ位置が決められているため（図２に示す仮位置決め）、印刷版１２の仮位置決め位置からのわずかの移動により生じる誤差分が矯正される。これにより、印刷版１２は、回転ドラム１６に対して一義的な位置となる（図３に示す本位置決め）。
【００６６】
ここで、本実施の形態では、印刷版１２を回転ドラム１６の軸線に対して所定角度θ分傾斜させて巻付けている。この傾斜角度θは、回転ドラム１６の回転速度（線速度）と、記録ヘッド３７の移動速度とから求められるものであり、この傾斜によって、主走査ラインが印刷版１２の回転ドラム巻付方向に沿う辺と平行となる。
【００６７】
回転ドラム１６へ送り込まれ、本位置決めされた印刷版１２は、先端チャック２６及び後端チャック３６によって回転ドラム１６の周面に緊密に巻き付けられ、露光のための準備が完了する。
【００６８】
画像データを読み込み、記録ヘッド３７からの光ビームによって露光処理が開始される。露光処理は、回転ドラム１６を高速で回転させながら（主走査）、記録ヘッド３７を回転ドラム１６の軸線方向へ移動する、所謂走査露光であり、この走査露光制御については後述する。
【００６９】
露光処理が終了すると、搬送ガイドユニット１８を切り換え（排版ガイド２２を回転ドラム１６へ対応させ）、次いで、回転ドラム１６に巻きつけた印刷版１２を接線方向から排出していく。このとき、印刷版１２は、排版ガイド２２に送られる。
【００７０】
印刷版１２が排版ガイド２２に送られると、搬送ガイドユニット１８を切り換え、排版ガイド２２を排出口へ対応させ、印刷版１２を排出させる。この排出方向には、現像部が設けられており、印刷版１２は続けて現像処理される。
【００７１】
次に、上記走査露光制御における画像信号の出力制御について説明する。
【００７２】
まず、回転ドラム１６が回転すると、ロータリーエンコーダ２５０によってその回転に応じたパルス信号がパルス信号取込部３０６に入力される。
【００７３】
パルス信号取込部３０６では、回転ドラム１回転毎の基準信号が生成され、パルス信号と共に画像クロック生成部３０９へ送出される。この画像クロック生成部３０９では、例えば、パルス信号を分周し、所定の周波数の画像クロックを生成する。
【００７４】
基準信号及び画像クロックは遅延カウンタ３１０に入力され、基準信号毎に画像クロックをリセットしながらカウントし、比較部３１２へ送出される。
【００７５】
比較部３１２では、遅延設定値登録部３１４からの遅延設定値と基準信号とが比較され、これらが一致した時点で、前記画像クロックを画像書込み指示部３１６へ送出する。
【００７６】
画像書込み指示部３１６には、複数のラインバッファ３１８から１回の主走査で必要なライン数分の画像データを読出し、光源ユニット３０４へ送出する。
【００７７】
上記のタイミングで各主走査を段階的に遅らせることで、図５に示される如く、主走査ラインの書出し位置が１回の主走査単位で、印刷版１２の傾斜に沿ってオフセットされ、全体的にみると主走査の書出し位置を結ぶ線Ａを、傾斜した印刷版１２の回転ドラム軸線Ｌ方向に沿う辺１２とほぼ平行とすることができる。
【００７８】
以上説明したように本実施の形態では、回転ドラム１６に印刷版１２を巻付けて高速に回転させながら、記録ヘッド３７の回転ドラム１６の軸線方向に移動させて画像を記録する場合に、螺旋状に傾斜する主走査ラインを、印刷版１２を回転ドラム１６に対して、当該傾斜分傾斜させて巻付けることで、主走査ラインと、印刷版１２の回転ドラム巻付方向に沿う辺との平行度を維持することができる。
【００７９】
また、この平行度の維持によって生じる、各主走査ラインの書出し位置のずれを、１回の主走査毎に段階的にオフセットさせる（遅らせる）ように画像書出しタイミングを設定したため、印刷版１２を全体的に見たときに、書出し位置を結ぶ線Ａが印刷版１２の回転ドラム１６の軸線方向に沿う辺１２Ａに対して略平行とすることができる。
【００８０】
従来、このような平行度を得るためには、主走査ライン毎におこなわなければならなず、遅延回路等の回路構成が膨大となり、制御が非常に複雑となっていたが、本実施の形態では、１回の主走査を単位として、段階的に制御するようにしたため、比較的単純な制御系で処理することができる。
【００８１】
なお、本実施の形態では、オフセット（書き出し位置のずらし）を１回の主走査毎としたが、１回の主走査に限定するものではなく、この１回の主走査中の各光源による画像データの出力を段階的に遅らせるようにしてもよい。
【００８２】
すなわち、図６に示される如く、１回の主走査が２４チャンネルの場合、これを４分割して６チャンネル単位でユニット化し（ユニット３７Ａ）、このユニット３７Ａ毎に、１回のオフセット量の１／４ずつ段階的に書き出しタイミングをずらすようにしてもよい。
【００８３】
この分割は、究極的には、光源１個単位で書き出しタイミングをずらすことにつながるが、遅延のための回路の軽減のために、複数の光源をユニット化することが好ましい。
【００８４】
また、上記のように１回の主走査のチャンネルを分割することで、回転ドラムの偏心、記録ヘッドの移動の非直線性を予め計測し、その補正量を記憶しておき、オフセットのための書き出しタイミングのずらし量（遅延時間）に上記補正量を加減することで、上記機械的な要因による主走査書き出し位置のずれを同時に補正することができる。
【００８５】
例えば、図７（Ａ）に示される如く、主走査の書き出し位置が波状の曲線Ｂとなっている場合、分割したユニット毎に前記曲線Ｂに合わせて、書き出しタイミングをずらす。これにより、光源ユニット３０４へ入力される各主走査ラインの画像データは、図７（Ｂ）に示される如く、基準信号から画像データ出力までの時間がずれることになり、結果として主走査開始位置をほぼ一致させることができる。
【００８６】
以上説明したように、本実施の形態では、１回の主走査毎に画像書き出し位置をオフセットさせる、並びに、これに加えて１回の主走査のｎ分割（ｎは２以上の正の整数）したユニット単位で、画像書き出しタイミングをずらすことで主走査の書き出し位置を結ぶ線Ａを傾斜して回転ドラム１６に巻きつけた印刷版１２の回転ドラム軸線方向に沿う辺１２Ａとほぼ平行することができ、画像の変形を防止することができる。
【００８７】
なお、上記では、インタレース走査で説明したが、ノンインタレース走査で行ってもよい。
【００８８】
【発明の効果】
以上説明した如く本発明では、記録材料を回転体に巻付けた状態で副走査方向に複数の画像記録用の光源が配列された走査光学系で画像を記録する場合に、記録材料の周端辺に対する主走査ラインの平行度、並びに副走査方向の主走査書出し位置の平行度を安定させることができるという優れた効果を有する。
【図面の簡単な説明】
【図１】本実施の形態に係る印刷版自動露光装置の概略図である。
【図２】搬送ガイドユニットにおける排版ガイドと取り外した場合の斜視図である（印刷版仮位置決め状態）。
【図３】搬送ガイドユニットにおける排版ガイドと取り外した場合の斜視図である（印刷版本位置決め状態）。
【図４】画像記録制御のための制御系を示すブロック図である。
【図５】本実施の形態に係る画像の主走査書き出し位置を示す印刷版の正面図である。
【図６】変形例に係る画像の主走査書き出し位置を示す印刷版の正面図である。
【図７】（Ａ）は主走査書き出し位置補正に、機械的な誤差を加えた場合の記録ヘッドの書き出し位置を示す模式図、（Ｂ）は図７（Ａ）の書き出しタイミングチャートである。
【符号の説明】
１０    印刷版自動露光装置（画像記録装置）
１２    印刷版（記録材料）
１４    露光部
１６    回転ドラム（回転体）
３７    記録ヘッド（走査手段）
２０２    コントローラ
２５０    ロータリーエンコーダ
３０４    光源ユニット
３０６    パルス信号取込部
３０８    画像処理計制御部
３０９    画像クロック生成部
３１０    遅延カウンタ（書出し位置オフセット手段）
３１２    比較部（書出し位置オフセット手段）
３１４    遅延設定値登録部（書出し位置オフセット手段）
３１６    画像書込み指示部
３１８    ラインバッファ
３２０    画像メモリ
【図１】
0003910840.tif 000002
【図２】
0003910840.tif 000003
【図３】
0003910840.tif 000004
【図４】
0003910840.tif 000005
【図５】
0003910840.tif 000006
【図６】
0003910840.tif 000007
【図７】
0003910840.tif 000008